(57)【要約】【課題】収容された携帯通信機器を容易に取り出すことが可能な携帯通信機器用ケースを提供する。【解決手段】底部（１１）と、該底部とは反対の方向に開口部（１２）と、一面（１４）に該一面を貫通する穴（１６）とを有するケース本体（１８）と、前記ケース本体の一面と対向する他面（２２）において一端が移動規制された紐状体（２４）を備え、前記紐状体は、前記一面に形成された穴を貫通し他端が前記ケース本体の外部に位置する。【選択図】図２
0003177248.tif 000002
【実用新案登録請求の範囲】
【請求項１】
底部（１１）と、該底部とは反対の方向に開口部（１２）と、一面（１４）に該一面を貫通する穴（１６）とを有するケース本体（１８）と、
前記ケース本体の一面と対向する他面（２２）において一端が移動規制された紐状体（２４）を備え、
前記紐状体は、前記一面に形成された穴を貫通し他端が前記ケース本体の外部に位置することを特徴とする携帯通信機器用ケース。
【請求項２】
前記ケース本体の一面が前記開口部の一部又は全面を覆うカバー（２６）を延設してなることを特徴とする請求項１記載の携帯通信機器用ケース。
【請求項３】
前記穴が前記ケース本体の一面に延設された前記カバーに該カバーを貫通して形成されることを特徴とする請求項１又は２記載の携帯通信機器用ケース。
【請求項４】
前記紐状体は、一端が前記ケース本体の他面に固着されることによって移動規制されたことを特徴とする請求項１ないし３のいずれか１項記載の携帯通信機器用ケース。
【請求項５】
前記紐状体は、前記ケース本体の内側から外側に前記紐状体が前記穴を移動するのを阻止する移動阻止手段を一端と他端の間の所定の位置に有することを特徴とする請求項１ないし４のいずれか１項記載の携帯通信機器用ケース。
【請求項６】
前記穴が、前記ケース本体の底部から前記一面の高さの１/３以上前記開口部寄りに形成されることを特徴とする１ないし５のいずれか１項記載の携帯通信機器用ケース。
【考案の詳細な説明】
【技術分野】
【０００１】
本考案は、携帯用通信機を収納する携帯通信機器用ケースに関し、より詳細には、簡単に携帯用通信機を取り出すことが可能な携帯通信機器用ケースに関する。
【背景技術】
【０００２】
従来、ケースとしての機能、ファッション性をそこなわずに、より少ない種類のケースで、より多くのトランシーバーや携帯電話などの携帯用通信機器に対応する汎用型ケースが開発されている（特許文献１参照）。
【先行技術文献】
【特許文献】
【０００３】
【特許文献１】特開平９−５５７８７号公報
【考案の概要】
【考案が解決しようとする課題】
【０００４】
しかしながら、上記従来の携帯通信機器用ケースは、収納する携帯通信機器の一部がケースから出る構成について主として開示されている。このようなケースに収納された携帯通信機器は該携帯通信機器をケースに収納された状態から直接手で持って取り出すことができるが、収容された携帯通信機器が意に反してケースから出て落下することがある。これを防止するためにはケースの深さを深くすることが必要であるが、そうすると取り出すのが難しくなるという課題がある。
【０００５】
本考案は、上記従来の課題を解決するものであり、収容された携帯通信機器を容易に取り出すことが可能な携帯通信機器用ケースを提供することを目的とする。
【課題を解決するための手段】
【０００６】
上記目的を達成するため、本考案は、底部（１１）と、該底部とは反対の方向に開口部（１２）と、一面（１４）に該一面を貫通する穴（１６）とを有するケース本体（１８）と、前記ケース本体の一面と対向する他面（２２）において一端が移動規制された紐状体（２４）を備え、前記紐状体は、前記一面に形成された穴を貫通し他端が前記ケース本体の外部に位置することを特徴とする携帯通信機器用ケースを提供する。
【０００７】
本考案に係る携帯通信機器用ケースによれば、紐状体の一端がケース本体の一面と対向する他面において移動規制され、その他端が該一面に形成された穴を貫通しているので、開口部から携帯通信機器が収容された状態で、ケース本体の外部から紐状体を引っ張ると、携帯通信機器の底部に当接した紐状体が携帯通信機器を開口部より上方に押し上げるので、収容された携帯通信機器を容易に取り出すことができる。
【０００８】
上記態様では、前記ケース本体の一面が前記開口部の一部又は全面を覆うカバー（２６）を延設してなることを特徴とする。このような構成によれば、ケース本体の開口部は少なくとも一部がカバーで覆われるので、開口部をカバーで覆って携帯通信機器の不慮の落下を防ぐことができる。
【０００９】
上記態様では、前記穴が前記ケース本体の一面に延設された前記カバーに該カバーを貫通して形成されることを特徴とする。このような構成によれば、カバーに穴が形成されるので、ケース本体の外部から紐状体を引っ張ると、収容された携帯通信機器のより多くの部分を開口部から押し出すことができる。
【００１０】
好ましい態様では、前記紐状体は、その一端が前記ケース本体の他面に固着される。この構成によれば、紐状体の一端が他面に固着されるので、紐状体の他端をより小さな力又は仕事で引くことにより収容された携帯通信機器を取り出すことができる。
【００１１】
上記態様では、前記紐状体は、前記ケース本体の内側から外側に前記紐状体が前記穴を移動するのを阻止する移動阻止手段を一端と他端の間の所定の位置に有することを特徴とする。このような構成によれば、移動阻止手段によって紐状体の内側から外側への移動が所定の位置で阻止されるので、ケース本体の外部から紐状体を引っ張りすぎて、携帯通信機器がケース本体の外へ飛び出して落下し損傷するのを防止することができる。
【００１２】
上記態様では、前記穴が、前記ケース本体の底部から前記一面の高さの１/３以上前記開口部寄りに形成されることが更に好ましい。このような構成によれば、穴が一面の１/３より底部に近い方に形成される場合よりも、携帯通信機器のより多くの部分を開口部から押し出すことができるので、収容された携帯通信機器をより簡単に取り出すことができる。
【考案の効果】
【００１３】
以上のように、本考案に係る携帯通信機器用ケースによれば、収容された携帯通信機器を容易に取り出すことができる。
【図面の簡単な説明】
【００１４】
【図１】実施例１に係る携帯通信機器用ケースを示し、（ａ）は正面図、（ｂ）は背面図である。
【図２】図１（ａ）のＡ-Ａ矢視断面図である。
【図３】実施例１に係る携帯通信機器用ケースの使用状態を示す説明図であり、（ａ）は携帯通信機器を収容した状態、（ｂ）は取り出す状態を示す。
【図４】実施例２に係る携帯通信機器用ケースを示し、（ａ）はカバーを閉じた状態の正面図、（ｂ）はカバーを開けた状態の背面図、（ｃ）はカバーを開けた状態の背面図である。
【図５】図４（ａ）のＢ-Ｂ矢視断面図である。
【図６】実施例２に係る携帯通信機器用ケースの移動阻止手段を示す斜視図である。
【図７】実施例２に係る携帯通信機器用ケースの使用状態を示す説明図であり、（ａ）は携帯通信機器を収容した状態、（ｂ）は取り出す状態を示す。
【考案を実施するための形態】
【００１５】
以下、図に示す実施例により本発明をさらに詳細に説明する。なお、これにより本発明が限定されるものではない。
【実施例】
【００１６】
−実施例１−
図１は、実施例１に係る携帯通信機器用ケースを示し、（ａ）は正面図、（ｂ）は背面図である。図１に示すように、携帯通信機器用ケース１０は、略四角形の２枚のスポンジ状の布部材を重ね、その３側辺を糸で縫い合せて作られ、ケース本体１８を構成する。そして、糸で縫合されていない部分（図１の上部部分）は開口部１２を、開口部１２の反対側（図１の下部）は底部１１を形成し、ケース本体１８のうち（ａ）に示す正面側のスポンジ状の布部材は他面２２を、（ｂ）に示す背面側のもう１つのスポンジ状の布部材は一面１４を構成する。
【００１７】
図１（ｂ）に示すように、ケース本体１８の一面１４の中央やや下部からケース本体１８の内部から外部へ紐状体２４が出ている。この紐状体２４は、動物の尾を模している。
なお、図１（ａ）に示すように、ケース本体１８の他面２２の外部には刺繍されたパッチが縫い付けられ、その上部は動物の耳を模した形状２２ａとなっている。
【００１８】
図２は、図１（ａ）のＡ−Ａ矢視断面図である。図１に示すように、紐状体２４の一端はケース本体１８の他面２２に固着されている。具体的には、紐状体２４の一端は他面２２を貫通してケース本体１８の外部に突出し、他面２２に縫い付けられている。そして、縫い付けられた部分はハート形状のパッチが縫い付けられ、紐状体２４の一端がケース本体１８に縫い付けられた部分が外部から見えないように隠されている。
一方、ケース本体１８の一面１４には該一面を貫通する穴１６が形成され、穴１６を貫通して、紐状体２４の他端はケース本体１８の内部から外部に導かれている。
【００１９】
以下、実施例１に係る携帯通信機器用ケース１０の作用について説明する。
図３は実施例１に係る携帯通信機器用ケース１０の使用状態を示す説明図であり、（ａ）は携帯通信機器Ａを収容した状態、（ｂ）は取り出す状態を示す。
まず、ケース本体１８の開口部（図示せず）から携帯通信機器Ａを携帯通信機器用ケース１０に収容すると、図３（ａ）に示すように、紐状体２４は携帯通信機器Ａの底部（図示せず）に当接しながら、携帯通信機器Ａとともにケース本体１８の底部１１方向へ移動する。ここで、携帯通信機器Ａの底部（図示せず）とは、開口部（図示せず）からケース本体１８に最初に挿入される携帯通信機器Ａの部分をいい、図３において携帯通信機器Ａの下部を指す。
【００２０】
次に、収納された携帯通信機器Ａの取り出し方法について説明する。図３（ｂ）に示すように、ケース本体１８の一面１４に形成された穴１６からケース本体１８の外部に出た紐状体２４をケース本体１８の開口部（図示せず）方向に引っ張ると、ケース本体１８の内部で紐状体２４が携帯通信機器Ａの底部に当接しているので、携帯通信機器Ａは紐状体２４が上方へ引っ張られる力によりケース本体１８の開口部（図示せず）方向に移動し、その一部がケース本体１８から突出する。この状態で、この突出部分Ａ１を持つことにより、容易に携帯通信機器用ケース１０から携帯通信機器Ａを取り出すことができる。
【００２１】
−実施例２−
図４は、実施例２に係る携帯通信機器用ケース２０を示し、（ａ）はカバー２６を閉じた状態の正面図、（ｂ）はカバー２６を開けた状態の背面図、（ｃ）はカバー２６を開けた状態の背面図である。図４（ａ）に示すように、携帯通信機器用ケース２０は、ケース本体３８の開口部３２の一部がカバー２６で覆われている。図４（ｂ）及び（ｃ）に示すように、カバー２６はケース本体３８の一面３４が延設して形成されている。
【００２２】
図４（ｃ）に示すように、一面（裏面）３４を構成するカバー２６は開口部３２の中央に近い位置でカバー２６を貫通する穴３６を有し、紐状体４４の他端４４ｃが穴３６からケース本体３８の外部に出ている。
図５は、図４（ａ）のＢ-Ｂ矢視断面図である。図５に示すように、紐状体４４の一端はケース本体３８の他面４２の内側中央上端部４２ｂに縫い合わされて固着されている。一方、紐状体４４の他端はカバー２６に形成された穴３６を貫通してケース本体３８の外部に導かれている。
【００２３】
図６は、携帯通信機器用ケース２０における紐状体４４に設けられた移動阻止手段４６を示す斜視図である。図６に示すように、紐状体４４は、第１の紐状体４４ａと第２の紐状体４４ｂからなり、第１の紐状体４４ａと第２の紐状体４４ｂの結合部に移動阻止手段４６が形成されている。ここで、第１の紐状体４４ａは、ケース本体３８の内部に位置し、帯状の紐からなる。第２の紐状体４４ｂは穴３６を通ることができる紐であり、穴３６を通ってケース本体３８の内部と外部に位置する。
【００２４】
第１の紐状体４４ａの帯状端は折り曲げられ、第２の紐状体４４ｂを通すことができる穴を形成して縫い合わされている。第２の紐状体４４ｂは、カバー２６を貫通する穴３６の外側から内側に通された一端を第２の紐状体４４ａに形成された帯幅長の帯穴（図示せず）を通し、再度穴３６から外部に導かれている。
このようにして形成された第１の紐状体４４ａと第２の紐状体４４ｂの結合部は、移動阻止手段４４を形成し、一端が折り返され縫合された帯状部は穴３６を通過できないため、第２の紐状体４４ｂを外部から引っ張っても移動阻止手段４６によって移動阻止手段４４によって第１の紐状体４４ａが穴３６を通過するのが阻止される。
【００２５】
以下、実施例２に係る携帯通信機器用ケース２０の作用について説明する。
図７は実施例２に係る携帯通信機器用ケース２０の使用状態を示す説明図であり、（ａ）は携帯通信機器Ｂを収容した状態、（ｂ）は取り出す状態を示す。
まず、カバー２６を開けて、ケース本体３８の開口部（図示せず）から携帯通信機器Ｂを携帯通信機器用ケース１０に収容すると、図７（ａ）に示すように、紐状体２４は携帯通信機器Ｂの底部Ｂ２に当接しながら、携帯通信機器Ｂとともにケース本体３８の底部３１方向へ移動する。
【００２６】
次に、収納された携帯通信機器Ｂの取り出し方法について説明する。図７（ｂ）に示すように、カバー２６を開けて、ケース本体３８の背面（一面）３４を構成するカバー２６に形成された穴３６からケース本体３８の外部に出た紐状体４４を手でケース本体３８の開口部（図示せず）方向に引っ張ると、ケース本体３８の内部で紐状体４４が携帯通信機器Ｂの底部Ｂ２に当接しているので、携帯通信機器Ｂは紐状体４４が上方へ引っ張られる力によりケース本体３８の開口部（図示せず）方向に移動し、その一部がケース本体３８から突出する。この状態で、この突出部分Ｂ１を持つことにより、容易に携帯通信機器用ケース２０から携帯通信機器Ｂを取り出すことができる
【００２７】
以上、本発明の実施例について説明したが、本発明は実施例に限定されるものではなく、その趣旨を逸脱しない限りにおいて種々の変更が可能である。例えば、ケース本体の他面において移動規制された紐状体の変形例としては、ケース本体の他面を貫通した紐状体の一端に留め部材を取り付けることによって、紐状体の他端を引っ張っても該一端がケース本体の他面から外れることのないようにすることができる。
【符号の説明】
【００２８】
１０，２０  携帯通信機器用ケース
１１，３１  底部
１２，３２  開口部
１４，３４  ケース本体の背面（一面）
１６，３６  穴
１８，３８  ケース本体
２２，４２  ケース本体の前面（他面）
２４，４４  紐状体
４４ａ  第１の紐状体
４４ｂ  第２の紐状体
４４ｃ  移動阻止手段
２６        カバー
Ａ，Ｂ  携帯通信機器
【図２】
0003177248.tif 000003
【図３】
0003177248.tif 000004
【図５】
0003177248.tif 000005
【図６】
0003177248.tif 000006
【図７】
0003177248.tif 000007
【図１】
0003177248.tif 000008
【図４】
0003177248.tif 000009